(57)【要約】【課題】製品のコストを増加させない前提下で、電子装置に対するオーディオ妨害を効果的に除去することができる制御回路を提供する。【解決手段】オーディオ出力回路及びイヤホン出力回路を備え、前記オーディオ出力回路は、オーディオ接続ポートと、前記オーディオ接続ポートの左オーディオピンに接続される第一コンデンサーと、及び前記オーディオ接続ポートの右オーディオピンに接続される第二コンデンサーと、を備え、前記オーディオ接続ポートは、右オーディオピンと、左オーディオピンと、ビデオピンと、及び接地ピンを備え、前記イヤホン出力回路は、イヤホン接続ポートと、第一インダクタンスと、第二インダクタンスと、第三コンデンサーと、第四コンデンサーと、を備える。【選択図】図１
2013192225.tif 000002
【特許請求の範囲】
【請求項１】
オーディオ出力回路及びイヤホン出力回路を備え、
前記オーディオ出力回路はオーディオ接続ポートを備え、
前記オーディオ接続ポートは、右オーディオピン、左オーディオピン、ビデオピン及び接地ピンを備え、
前記イヤホン出力回路は、イヤホン接続ポート、第一インダクタンス及び第二インダクタンスを備え、
前記イヤホン接続ポートは、イヤホン感知ピン、右オーディオピン、左オーディオピン及び接地ピンを備え、
前記第一インダクタンス及び前記第二インダクタンスは、前記イヤホン出力回路の電源入力ポートと前記イヤホン接続ポートとの間にそれぞれ接続され、
前記オーディオ出力回路は、前記オーディオ接続ポートの左オーディオピンに接続される第一コンデンサーと、前記オーディオ接続ポートの右オーディオピンに接続される第二コンデンサーと、をさらに備え、
前記イヤホン出力回路は、一端が前記第一インダクタンス及び前記イヤホン接続ポートの右オーディオピンにそれぞれ接続される第三コンデンサーと、一端が前記第二インダクタンス及び前記イヤホン接続ポートの左オーディオピンにそれぞれ接続される第四コンデンサーと、をさらに備えることを特徴とする電子装置へのオーディオ妨害を除去するための回路。
【請求項２】
前記第一コンデンサー及び前記第二コンデンサーの前記オーディオ接続ポートに接続されていない他端は接地され、前記第三コンデンサー及び前記第四コンデンサーの前記イヤホン接続ポートに接続されていない他端は接地されることを特徴とする請求項１に記載の無線通信装置。
【発明の詳細な説明】
【技術分野】
【０００１】
本発明は、オーディオ信号の処理技術に関し、特に電子装置に対するオーディオ妨害（ａｕｄｉｏ  ｉｎｔｅｒｆｅｒｅｎｃｅ）を除去するための制御回路に関するものである。
【背景技術】
【０００２】
現在、各種電子製品の急速な発展により、空間電磁場の環境はさらに複雑になる一方であり、中でも空間電磁波放射は、電子製品の性能に大きな影響を与える。従って、近年、電子製品に対するさらに高い電磁波妨害抵抗能力が求められている。
【０００３】
従来技術のオーディオ妨害を抑制する方法として、プリント基板を設計する際に、あらゆるオーディオ信号線に差分線を採用し、且つ各々の差分線をシールドして保護する対策が採られている。しかし、この方法は、オーディオ妨害の抑制に対する効果が理想的であるとは言えない。もう１つの方法は、オーディオ回路に同相インダクタンスを増設する対策である。これにより、オーディオ妨害を効果的に抑制することができるが、電子製品の製造コストを増加させる。
【発明の概要】
【発明が解決しようとする課題】
【０００４】
以上の問題点に鑑みて、本発明は、製品のコストを増加させない前提下で、電子装置に対するオーディオ妨害を効果的に除去することができる制御回路を提供することを目的とする。
【課題を解決するための手段】
【０００５】
上記の目的を達成するために、本発明に係る電子装置へのオーディオ妨害を除去するための回路は、オーディオ出力回路及びイヤホン出力回路を備える。前記オーディオ出力回路は、オーディオ接続ポートと、前記オーディオ接続ポートの左オーディオピンに接続される第一コンデンサーと、及び前記オーディオ接続ポートの右オーディオピンに接続される第二コンデンサーと、を備え、前記オーディオ接続ポートは、右オーディオピンと、左オーディオピンと、ビデオピンと、及び接地ピンと、を備える。前記イヤホン出力回路は、イヤホン接続ポートと、第一インダクタンスと、第二インダクタンスと、一端が前記第一インダクタンス及び前記イヤホン接続ポートの右オーディオピンにそれぞれ接続される第三コンデンサーと、及び一端が前記第二インダクタンス及び前記イヤホン接続ポートの左オーディオピンにそれぞれ接続される第四コンデンサーと、を備え、前記イヤホン接続ポートは、イヤホン感知ピンと、右オーディオピンと、左オーディオピン及び接地ピンと、を備える。前記第一インダクタンス及び前記第二インダクタンスは、前記イヤホン出力回路の電源入力ポートと前記イヤホン接続ポートとの間にそれぞれ接続される。
【発明の効果】
【０００６】
従来の技術とは異なり、本発明が提供する電子装置に対するオーディオ妨害を除去するための回路は、出力端にコンデンサーが設けられているため、ノイズ干渉を取り除いて、オーディオ信号の出力品質を効果的に高めることができる。
【図面の簡単な説明】
【０００７】
【図１】本発明の実施形態に係る電子装置に対するオーディオ妨害を除去するための回路を示す図である。
【発明を実施するための形態】
【０００８】
図１に示すように、本発明の実施形態に係る電子装置に対するオーディオ妨害を除去するための回路１０（以下、回路１０と略称する）は、オーディオ出力回路１１、イヤホン出力回路１２、及び周辺回路（図示せず）を備え、且つ主にマルチメディア放送機能を有する電子装置に用いられる。オーディオ出力回路１１は、オーディオ接続ポート１１０を介して、音響設備などのオーディオ放送装置（図示せず）に接続されて、オーディオ信号を出力する。イヤホン出力回路１２は、イヤホン接続ポート１２０を介して、イヤホン（図示せず）に接続されて、オーディオ信号を出力する。
【０００９】
オーディオ出力回路１１は、コンデンサーＣ１、Ｃ２を備える。オーディオ接続ポート１１０は、右オーディオピンＲ−Ｏｕｔ１と、左オーディオピンＬ−Ｏｕｔ１と、ビデオピンＶｉｄｅｏと、接地ピンＧＮＤ１と、を備える。コンデンサーＣ１は、左オーディオピンＬ−Ｏｕｔ１とアースとの間に接続され、コンデンサーＣ２は、右オーディオピンＲ−Ｏｕｔ１とアースとの間に接続される。コンデンサーＣ１及びＣ２は、フィルターエレメントとして、ノイズ干渉を効果的に取り除くことができる。
【００１０】
イヤホン出力回路１２は、コンデンサーＣ３、Ｃ４及びインダクタンスＬ１、Ｌ２を備える。イヤホン接続ポート１２０は、イヤホン感知ピンＥＡＲ−ＤＥＴと、右オーディオピンＲ−Ｏｕｔ２と、左オーディオピンＬ−Ｏｕｔ２と、接地ピンＧＮＤ２と、を備える。インダクタンスＬ１の一端は、第一電源入力ポート１２１に接続され、インダクタンスＬ１の他端は、前記コンデンサーＣ３の一端と共に、右オーディオピンＲ−Ｏｕｔ２に接続される。コンデンサーＣ３の他端は、接地される。インダクタンスＬ２の一端は、第二電源入力ポート１２２に接続され、インダクタンスＬ２の他端は、コンデンサーＣ４の一端と共に、左オーディオピンＬ−Ｏｕｔ２に接続される。コンデンサーＣ４の他端は、接地される。インダクタンスＬ１及びコンデンサーＣ３は、１つのＬＣフィルタ回路を形成し、前記インダクタンスＬ２及び前記コンデンサーＣ４は、もう１つのＬＣフィルタ回路を形成する。これにより、電子装置のシステムは、外部からの干渉を受けると、前記ＬＣフィルタ回路を介して、ノイズ干渉を効果的に取り除くことができる。
【００１１】
また、オーディオ出力回路１１及びイヤホン出力回路１２は、他の部品をさらに備える。しかしこれらの部品は、本発明とは直接関係しないため、ここでの詳しい説明は省略する。
【００１２】
上記の実施形態によると、本発明が提供する電子装置に対するオーディオ妨害を除去することができる回路１０には、出力端にノイズ干渉を取り除くためのフィルタコンデンサーが設けられているため、オーディオ信号の出力品質を効果的に高めることができる。
【００１３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１４】
１０          電子装置に対するオーディオ妨害を除去するための回路
１１          オーディオ出力回路
１２          イヤホン出力回路
１１０        オーディオ接続ポート
１２０        イヤホン接続ポート
１２１        第一電源入力ポート
１２２        第二電源入力ポート
Ｌ１、Ｌ２    インダクタンス
Ｃ１、Ｃ２、Ｃ３、Ｃ４    コンデンサー
ＧＮＤ１、ＧＮＤ２        接地ピン
Ｌ−Ｏｕｔ１、Ｌ−Ｏｕｔ２    左オーディオピン
Ｒ−Ｏｕｔ１、Ｒ−Ｏｕｔ２    右オーディオピン
ＥＡＲ−ＤＥＴ      イヤホン感知ピン
Ｖｉｄｅｏ          ビデオピン
【図１】
2013192225.tif 000003